(57)【要約】【課題】移動式ポータブルトイレの汚物タンクに代わる汚物ケースを提供する。【解決手段】便座を備えた車椅子２の台板１０に載置する汚物ケース８である。汚物ケース８は防水加工をした紙製の中空箱状体であって、その上辺部は開放しているが折り畳んで閉鎖可能であるとともに、その上辺部１２には少なくともホース２３を挿入可能な透孔１４が開設され、また、その底辺部１５には所定の開口部１６が形成されている。【選択図】　図１
2004141368.tif 000002
【特許請求の範囲】
【請求項１】
車椅子の座面が便座として開放可能であるとともに、座面下部に所定の空間部を隔てて台板が設けられ、その台板上に汚物ケースを載置可能になしたことを特徴とする移動式ポータブルトイレ。
【請求項２】
前記座面には、着座状態で手前側又は後方側へ引き出し入れできるスライド式の便座カバーを設けたことを特徴とする請求項１記載の移動式ポータブルトイレ。
【請求項３】
前記汚物ケースは、防水加工をした紙製の中空箱状体であって、その上辺部は開放しているが折り畳んで閉鎖可能であるとともに、その上辺部には少なくともホースを挿入可能な透孔が開設され、また、その底辺部には所定の開口部が形成されていることを特徴とする請求項１又は２記載の移動式ポータブルトイレ。
【請求項４】
前記防水部材は防水紙、片面を防水コーティングした紙、片面にスズ箔又はアルミ箔を張設した紙のいずれかより選択されたものであることを特徴とする請求項１，２又は３記載の移動式ポータブルトイレ。
【発明の詳細な説明】
【０００１】
【発明の属する技術分野】
この発明は移動式ポータブルトイレに関し、特に、車椅子の座面下部にポータブルトイレに代えて着脱自在に処理が容易な汚物ケースを収容できるものである。
【０００２】
【従来の技術】
移動式ポータブルトイレは、ベッドからトイレ等に移動することが困難な障害者や病人が利用するもので、出願人が既に特許出願（平成１２年６月１２日）したことにより、平成１３年１２月２５日に出願公開されて公知となっているものである。
【０００３】
この移動式ポータブルトイレは、座面下部にポータブルトイレ等の汚物タンクを着脱自在に設置して室内のみの利用では無く、人が着座してトイレや屋外等、他への移動ができるように構成された車椅子であって、汚物タンクを車椅子の後部から出し入れ自在にし、かつ、座面には汚物タンク内に汚物を排せつするための、展開式で開閉可能な開口部が形成されたものである。
【０００４】
【発明が解決しようとする課題】
しかしながら、前記移動式ポータブルトイレによれば、ポータブルトイレとしての汚物タンクは、プラスチック又は金属等の所定の容器からなる。この汚物タンク内に紙おむつを収容して用便をする場合と、汚物タンク内に直接用便をする場合とが有り得るが、そのいずれにしても、用便後は汚物タンクを再使用するために洗浄しなければならない。
【０００５】
洗浄は、汚物タンクを車椅子から取出し、トイレに持ち運び、その汚物を便器内に移す作業の後に行うものだが、これらの作業は臭気や手を汚すことも等もあって介護人等がとかく嫌い勝ちな作業である。
【０００６】
そのうえ、汚物タンクの洗浄は、粗雑であればともかく、丁寧に行ったとしても臭気が抜け切らないことが多い。そのために、移動式ポータブルトイレを置いてある部屋内に臭気が漂う、などの不都合を招来する。
【０００７】
これらの不都合を解決せんとして、発明者たる出願人は、以下に記載するような汚物ケースを有する移動式ポータブルトイレを提供する。
【０００８】
【課題を解決するための手段】
この発明にかかる移動式ポータブルトイレは、請求項１に記載したように、車椅子の座面が便座として開放可能であるとともに、座面下部に所定の空間部を隔てて台板が設けられ、その台板上に汚物ケースを載置可能になしたことを特徴とする。また、請求項２に記載したように、前記座面には、着座状態で手前側又は後方側へ引き出し入れできるスライド式の便座カバーを設けたことを特徴とする。すなわち、汚物ケースを台板上に載置できる移動式ポータブルトイレが得られ、また、着座状態で便座カバーを引き出し入れることができるので、着座者が立ち上がらなくとも排便の用意ができて介護人も楽になるとともに、用便後に介護人等が汚物を見たり、臭気が漂うのを避けることができる。
【０００９】
さらに、請求項３に記載したように、前記汚物ケースは、防水加工をした紙製の中空箱状体であって、その上辺部は開放しているが折り畳んで閉鎖可能であるとともに、その上辺部には少なくともホースを挿入可能な透孔が開設され、また、その底辺部には所定の開口部が形成されていることを特徴とする。すなわち、上辺部を開放して内底部に紙おむつを敷き、紙おむつの上に汚物を収容した後、上辺部を閉じて閉鎖すると臭気が断たれ、トイレに持ち運んでホースを透孔に差し込んで水道水を流すと、汚物は開口部から便器内に流れ込むことができる。
【００１０】
そして、請求項４に記載したように、前記防水部材は防水紙、片面を防水コーティングした紙、片面にスズ箔又はアルミ箔を張設した紙のいずれかより選択されたものであることを特徴とする。すなわち、汚物ケース自体は防水加工が施されているので、用便を漏らすることがない。
【００１１】
したがって、この発明にかかる汚物ケースは、前記従来の汚物タンクとは異なる紙製であるから、使い捨て若しくはほんの数回のみの使用をすることができ、したがって、用便処理に伴う前記不都合を解消できる。
【００１２】
【発明の実施の形態】
以下にこの発明の実施の形態を図に基づき説明すると、図１〜図６は移動式ポータブルトイレを示し、また、図７〜図１２は汚物ケースを示し、さらに、図１３及び図１４は汚物ケースの使用例を示す。
【００１３】
移動式ポータブルトイレ１は、図１〜図４に示すように、木製あるいは金属製にて形成された車椅子２に、背もたれ３と肘掛け４が設けられ、走行移動可能なように、脚部の下端にはキャスター５が取り付けられ、前方側脚部下端には、足乗台６を備えて足を乗せることができ、病人が上半身を動かす際に足を使って踏ん張ることができるようにしている。
【００１４】
車椅子２の座台７の下部には、台板１０が所定の間隔を置いて脚部に水平に固定され、この台板１０上には汚物ケース８が載置される。図２にて示すように、車椅子２の座台７には、便座９による便座口９ａを開閉する座面カバー９ｂが用意され、トイレとして利用しない場合は、座面カバー９ｂを取り付けておき、通常の車椅子２として移動手段に用いるとともに、座面カバー９ｂを取り外し開放して、便座９に腰掛けて利用することができる。
【００１５】
座画カバー９ｂは車椅子２の座台７（支柱や周囲壁にて構成）に蝶番にて背もたれ３側に開閉可能に取り付け構成してもよいし、あるいは完全に分離したカバー構造として、取り外しできるようにしてもよい。図５に示す移動式ポータブルトイレ１の座面カバー９ｃは、着座状態のまま着座者の手前で両脚の間からスライド式に引き出すことができる。
【００１６】
便座口９ａは、後方が広くなるように構成しており、用便後の肝門の清拭に際して容易に手を挿入することができ、病人等の姿勢を無理な前屈みにして尻を浮かせるようなことがない。
【００１７】
なお、図５及び図６に示す移動式ポータブルトイレ１は、便座９をほぼＵ字形にしてその間口を閉鎖する蓋９ｃをスライド可能に座台７上に載置し、用便時は図６に示すように、着座者の両脚の間からその蓋９ｃを前方へ引き出して脇に仮置きしておき、用便後はその蓋９ｃを両脚の間から挿入することにより、介護人等がその汚物を直接見るようなこともなく、また、臭気が発散して漂うようなこともなく処理できる移動式ポータブルトイレ１である。
【００１８】
また、この便座カバー９ｃによれば、着座状態で便座カバーを引き出し入れることができるので、用便時の介護作業が楽になる利点がある。この移動式ポータブルトイレの車椅子２は前記車椅子２と実質的に同じ構造である。なお、蓋９ｃは後方側へ引き出し入れできるようにしてもよい。
【００１９】
汚物ケース８は、図７に示すように、側辺部１１をそれぞれ内側に折り込むとともに、対面する上辺部１２，１２を折り畳んでほぼ偏平にコンパクト化され、また、図８に示すように、側辺部１１と上辺部１２をそれぞれ外側に開くと中空箱状体となり、さらに、図９に示すように、その対面する２つの上辺部１２，１２を合わせると閉鎖用蓋１３となる、くせ付けされた中空箱状体からなる。
【００２０】
中空箱状体は、少なくとも内面がラミネート加工などにより防水された防水加工の紙製箱状体であって、その上辺部１２は開放している。この上辺部１２には少なくとも水道の蛇口と結ぶホースを挿入可能な透孔１４が開設されている。また、底辺部１５の内面には所定の開口部１６が形成されている。
【００２１】
なお、底辺部１５上にポリエチレンからなる樹脂シート１７をノリ付け等により張設し、その樹脂シート１７には開口部１６と合致する開口部１８を形成しておいてもよい。これは、紙おむつと汚物を便器内に流し込む際に、樹脂シート１７が紙おむつや汚物を開口部１８に向けて滑り易くするために設けるもので、汚物ケース８の再使用を目的とし、二重の防水目的ではない。
【００２２】
なお、中空箱状体は片面を防水コーティングした紙の他に、防水紙、片面にスズ箔又はアルミ箔を張設した紙を用いてもよく、また、ある程度の肉厚を有して形態が崩れ難いものがよい。そして、汚物ケース８は蓋がない中空箱状体としたのであるが、図１２に示すように、蓋２５を有する箱２６で構成してもよい。蓋２５は４周面の略中央部に円孔２７がそれぞれ設けられ、上面には把手２８と開閉蓋２９が設けられている。
【００２３】
開閉蓋２９は前記透孔１４と同じようにホースを挿入するものである。箱２６は４周面の上部にそれぞれ円柱状の突起部３０が設けられている。この突起部３０は円孔２７に係合して蓋２５を箱２６に締結する。したがって、把手２８をもって汚物ケース８を運搬できる。箱２６は前例同様の構造で開口部１６、樹脂シート１７を有する。
【００２４】
次に、汚物ケース８の使用例について説明すると、図１３に示すように、車椅子２の台板１０上に汚物ケース８を載せる。この場合、汚物ケース８は、図８に示すように、上辺部１２，１２と側辺部１１を外側に開いた中空箱状体として載置する。したがって、汚物ケース８の上部開口は開放された便座９の間口に対面する。
【００２５】
なお、汚物ケース８の内底部には、大便の場合は樹脂シート１７の上にさらに、同様の樹脂シートであってその四隅等がマジックファスナー等のシールで樹脂シート１７と結合されたものを、敷いて開口部１６を覆う。なお、この場合は樹脂シート１７に開口部１８を設けないで、かつ、その四隅等がマジックファスナー等のシールで底辺部１５と結合されたものに代えることができる。また、小便の場合は紙おむつなどの水分吸収力の高いものを敷いて開口部１６を覆うのがよい。小便の場合は紙おむつがゼリー状に固まり、そのまま汚物ケース８から引き出して捨てることができるから、汚物ケース８の内部があまり汚れないので再使用ができる。
【００２６】
この状態で用便をした後、台板１０上に載せた汚物ケース８を取り出し、図９に示すように、上辺部１２，１２を合わせて閉鎖用蓋１３とした状態でトイレ等へ持ち運んで、小便の場合は紙おむつを汚物ケース８から引き出して家庭ゴミとして廃棄し、大便の場合は、図１４に示すように、便器２２の上に汚物ケース８を載置し、図示省略するが、樹脂シート１７の上に敷いた前記樹脂シートを汚物ケース内で引いて開口部１６を開いた後、透孔１４にホース２３を挿入し蛇口２４を開き水道水を汚物ケース８内に流し込む。水道水の圧力により、汚物ケース８の内圧が高じて汚物ケース８内の汚物が流れ込む。内部が洗浄された汚物ケース８は、図７に示すように、折り畳んで家庭ゴミとして廃棄することができる。
【００２７】
かくして、この発明にかかる汚物ケース８によれば、介護人が忌み嫌う用便処理を、極力負担を掛けることなく、軽便にできるようにした、従来に無い効果を奏する。
【００２８】
【発明の効果】
以上に説明したこの発明によれば、車椅子から汚物タンクを取り外し、トイレに持ち運び、その汚物を便器内に移す作業は、臭気や手を汚すこともあって介護人等がとかく嫌い勝ちな作業であるが、本発明の汚物ケースによれば、これらの不都合をすべて解消でき、介護人が忌み嫌う用便処理を、極力負担を掛けることなく、軽便にできるようにした、従来に無い効果を奏する。
【図面の簡単な説明】
【図１】この発明の実施の形態を示す移動式ポータブルトイレの側面図である。
【図２】この発明の実施の形態を示す移動式ポータブルトイレの背面図である。
【図３】この発明の実施の形態を示す移動式ポータブルトイレの座面カバーを開いた平面図である。
【図４】この発明の実施の形態を示す移動式ポータブルトイレの平面図である。
【図５】この発明の実施の他の形態を示す移動式ポータブルトイレの斜視図である。
【図６】この発明の実施の他の形態を示す移動式ポータブルトイレの斜視図である。
【図７】この発明の実施の形態における汚物ケースの折り畳んだ斜視図である。
【図８】この発明の実施の形態における汚物ケースの展開した斜視図である。
【図９】この発明の実施の形態における汚物ケースの持運び時の斜視図である。
【図１０】この発明の実施の形態における汚物ケースの断面正面図である。
【図１１】図１０の平面図である。
【図１２】この発明の実施の形態における他の汚物ケースの斜視図である。
【図１３】この発明の実施の形態の作用説明図である。
【図１４】この発明の実施の形態の作用説明図である。
【符号の説明】
１…移動式ポータブルトイレ
２…車椅子
３…背もたれ
４…肘掛け
５…キャスター
６…足乗台
７…座台
８…汚物ケース
９…便座
９ａ…便座口
９ｂ，９ｃ…蓋
１０…台板
１１…側辺部
１２…上辺部
１３…閉鎖用蓋
１４…透孔
１５…底辺部
１６…開口部
１７…樹脂シート
２５…蓋
２６…箱
２７…円孔
２８…把手
２９…開閉蓋
３０…突起部
【図１】
2004141368.tif 000003
【図２】
2004141368.tif 000004
【図３】
2004141368.tif 000005
【図４】
2004141368.tif 000006
【図５】
2004141368.tif 000007
【図６】
2004141368.tif 000008
【図７】
2004141368.tif 000009
【図８】
2004141368.tif 000010
【図９】
2004141368.tif 000011
【図１０】
2004141368.tif 000012
【図１１】
2004141368.tif 000013
【図１２】
2004141368.tif 000014
【図１３】
2004141368.tif 000015
【図１４】
2004141368.tif 000016